(57)【要約】【課題】使い勝手のよい電子番組ガイドを得る。【解決手段】放送番組に関する情報を放送番組情報として記憶する放送番組情報記憶手段と、記録媒体に記録した放送番組に関する情報を放送番組情報記憶手段に記憶された放送番組情報に基づいて作成し、録画番組情報として記憶する録画番組情報記憶手段と、番組に関連する情報を提供する電子番組ガイドとして、放送番組情報記憶手段に記憶された放送番組情報及び録画番組情報記憶手段に記憶された録画番組情報に基づいて、放送番組及び録画番組に関連する番組情報を表示手段の表示画面上に表示するように制御する表示制御手段と、表示手段の表示画面上に表示する電子番組ガイド表示モードと通常の画像表示モードの切換えを行うための第１のモード切換え操作子と、電子番組ガイド表示モードにおいて、放送番組情報の表示モードと上記録画番組情報の表示モードの切換えを行うための第２の切換え操作子とを備えている電子番組ガイドの表示画面上で所要の操作のコントロールを行うための操作手段とを備える。【選択図】        図６
2006320007.tif 000002
【特許請求の範囲】
【請求項１】
放送番組に関する情報を放送番組情報として記憶する放送番組情報記憶手段と、
記録媒体に記録した上記放送番組に関する情報を上記放送番組情報記憶手段に記憶された放送番組情報に基づいて作成し、録画番組情報として記憶する録画番組情報記憶手段と、
番組に関連する情報を提供する電子番組ガイドとして、上記放送番組情報記憶手段に記憶された放送番組情報及び上記録画番組情報記憶手段に記憶された録画番組情報に基づいて、放送番組及び録画番組に関連する番組情報を表示手段の表示画面上に表示するように制御する表示制御手段と、
上記表示手段の表示画面上に表示する電子番組ガイド表示モードと通常の画像表示モードの切換えを行うための第１のモード切換え操作子と、電子番組ガイド表示モードにおいて、上記放送番組情報の表示モードと上記録画番組情報の表示モードの切換えを行うための第２の切換え操作子とを備えている上記電子番組ガイドの表示画面上で所要の操作のコントロールを行うための操作手段と
を備えたことを特徴とする電子番組ガイド表示制御装置。
【請求項２】
上記表示制御手段は、上記電子番組ガイドの画面上で選択されている番組に関する番組の放送時間帯をバー表示することを特徴とする請求項１に記載の電子番組ガイド表示制御装置。
【請求項３】
放送番組に関する情報を放送番組情報として放送番組情報記憶手段に記憶すると共に、記録媒体に記録した上記放送番組に関する放送番組情報を上記放送番組情報記憶手段に記憶された放送番組情報に基づいて作成し、録画番組情報として記憶し、
番組に関連する情報を提供する電子番組ガイドとして、記憶した上記放送番組情報及び上記録画番組情報に基づいて、放送番組及び録画番組に関連する番組情報を表示手段の表示画面上に表示するように表示制御を実行するとともに、
操作手段の操作に応じて上記表示手段の表示画面上に表示する電子番組ガイド表示モードと通常の画像表示モードの切換えを行い、さらに電子番組ガイド表示モードにおいて、上記放送番組情報の表示モードと上記録画番組情報の表示モードの切換えを行い表示を行い、
上記表示制御は、表示されている上記電子番組ガイドの表示画面上で選択されている番組に関する番組の放送時間帯に関する情報を提示するための表示を行う
ことを特徴とする電子番組ガイド表示制御方法。
【請求項４】
上記表示制御は、上記電子番組ガイドの画面上で選択されている番組に関する番組の放送時間帯をバー表示することを特徴とする請求項３に記載の電子番組ガイド表示制御方法。
【発明の詳細な説明】
【技術分野】
【０００１】
本発明は、例えば多数の放送番組及びＶＴＲ(Video Tape Reccorder)に録画した録画番組の情報を管理して番組表として表示出力するような、電子番組ガイド表示制御装置及び電子番組ガイド表示制御方法に関するものである。
【背景技術】
【０００２】
テレビジョン放送等の番組は空間を介して伝送されたり、ケーブルを介するケーブルテレビジョン（ＣＡＴＶ）によりユーザに伝送されている。
ユーザは、伝送されてきたチャンネルの番組の内、好みのチャンネルの番組を選択してテレビジョンにより視聴したり、ＶＴＲに記録することを行っている。この時、番組の選択は印刷された番組表を見ながら行うことが一般に行われている。
しかしながら、ケーブルテレビ放送システムにみられるように、伝送されるチャンネル数が多い場合は１５０チャンネルにもなり、例えば１５０チャンネルの番組が掲載された番組表から好みの番組をサーチすることは容易ではない。
【０００３】
そこで、容易に所望の番組のサーチが行えるように、各チャンネルの番組表のデータを番組のテレビジョン信号に支障がないように、特定のチャンネルのビデオ信号の垂直ブランキング期間に挿入して伝送するようにし、ユーザは伝送されてきた番組表データをテレビジョンに画面表示させることにより、チャンネルのサーチを行って所望のチャンネルの番組を選択するようにすることが行われている。
この番組表データは電子番組ガイドともいわれる。このような電子番組ガイドにおける番組の情報としては、例えば受信可能な放送局ごとに放送が予定されてい番組名と、これら番組ごとに対応する放送時間帯などが含まれる。
そして、ユーザは電子番組ガイドの表示画面から所望の番組を選択し、この選択した放送番組を受信して視聴したり、その選択した番組の録画予約を行うことができるようにされている。
【発明の開示】
【発明が解決しようとする課題】
【０００４】
また、ユーザとしては、放送番組を録画してあるビデオテープ（テープカセット）について、どのような番組がどのような順序で録画されているかなどといった番組情報についても、電子番組ガイドとして参照したいといった要望があることは当然考えられる。
そこで、例えばＶＴＲ側においてビデオテープに録画した番組に関する情報をその磁気テープ上の所要の領域に対して記録しておき、後にこの番組情報の領域を再生することで、このビデオテープに録画されている番組情報を表示出力するようにされたものが知られている。
【０００５】
ところが、上記のような機能は上述した電子番組ガイド表示機能とは独立したＶＴＲとしての付加機能である。例えば電子番組ガイド表示機能をもつＡＶシステムを利用しているユーザにとってみれば、電子番組ガイド表示機能と、ＶＴＲに録画した録画番組情報表示機能は、番組についての情報を表示するという点では同一であるため、統合的に扱われることが好ましい。例えば、この両者の番組表示機能が１つの電子番組ガイドとして統合的に扱われれば、ユーザはより簡略に番組全般に関する情報を参照することが可能となる。
【０００６】
また、これまでの電子番組ガイドでは、電子番組表の表示は表示画面全体を利用するようにして行われていた。この場合、電子番組ガイドとして備えられている機能として、番組情報の各種分類項目に従った番組情報内容の表示変更、検索、各種設定等のコマンド操作を行おうとした場合、画面全体がそのコマンド内容に応じて変更されて、これより以前に表示されていた内容とは全く異なることになり、それだけユーザにとっては利用しにくかったという問題を有している。このような問題は、電子番組ガイドとして表示すべき情報の多様化や、機能の多様化が促進されるに応じて顕著となる。
【０００７】
また、電子番組ガイド上での各種設定等のコントロールは、例えば、コントロールすべき機能に対応する個々のボタンやカーソルなどを表示させたうえで、リモートコントローラなどを利用して、画面上でこれらの操作を実行するようにしていた。この場合、機能が多様化して多くなっていくのに応じて、表示すべきボタン数や、ユーザが操作するリモートコントローラのキー数が増加することになり、それだけ操作が煩雑になる。あるいは、このような煩雑な操作を回避するために、複数の機能に対してボタンを共用するような形態を採ることも行われているが、この場合にも、表示形態を考慮しなければかえって操作すべきキーの判断がしづらくなってユーザが混乱するおそれがある。
【課題を解決するための手段】
【０００８】
本発明は上記した問題点を考慮して、放送番組に関する情報を放送番組情報として記憶する放送番組情報記憶手段と、記録媒体に記録した上記放送番組に関する情報を上記放送番組情報記憶手段に記憶された放送番組情報に基づいて作成し、録画番組情報として記憶する録画番組情報記憶手段と、番組に関連する情報を提供する電子番組ガイドとして、上記放送番組情報記憶手段に記憶された放送番組情報及び上記録画番組情報記憶手段に記憶された録画番組情報に基づいて、放送番組及び録画番組に関連する番組情報を表示手段の表示画面上に表示するように制御する表示制御手段と、上記表示手段の表示画面上に表示する電子番組ガイド表示モードと通常の画像表示モードの切換えを行うための第１のモード切換え操作子と、電子番組ガイド表示モードにおいて、上記放送番組情報の表示モードと上記録画番組情報の表示モードの切換えを行うための第２の切換え操作子とを備えている上記電子番組ガイドの表示画面上で所要の操作のコントロールを行うための操作手段とを備える。
そして、上記表示制御手段は、上記電子番組ガイドの画面上で選択されている番組に関する番組の放送時間帯をバー表示するように構成することとした。
【０００９】
また、電子番組ガイド表示制御方法として、放送番組に関する情報を放送番組情報として放送番組情報記憶手段に記憶すると共に、記録媒体に記録した上記放送番組に関する放送番組情報を上記放送番組情報記憶手段に記憶された放送番組情報に基づいて作成し、録画番組情報として記憶し、番組に関連する情報を提供する電子番組ガイドとして、記憶した上記放送番組情報及び上記録画番組情報に基づいて、放送番組及び録画番組に関連する番組情報を表示手段の表示画面上に表示するように表示制御を実行するとともに、操作手段の操作に応じて上記表示手段の表示画面上に表示する電子番組ガイド表示モードと通常の画像表示モードの切換えを行い、さらに電子番組ガイド表示モードにおいて、上記放送番組情報の表示モードと上記録画番組情報の表示モードの切換えを行い表示を行い、上記表示制御は、表示されている上記電子番組ガイドの表示画面上で選択されている番組に関する番組の放送時間帯に関する情報を提示するための表示を行うこととした。
さらに、上記表示制御方法は、上記電子番組ガイドの画面上で選択されている番組に関する番組の放送時間帯をバー表示するように表示制御を実行することとした。
【発明の効果】
【００１０】
以上説明したように本発明は、電子番組ガイドとして、放送番組に関連する番組情報と、テープカセットに録画した放送番組の情報である録画番組情報とをモード別に表示できるように構成されていることから、ユーザにとっては１つの電子番組ガイドシステムにより、放送番組と録画番組との情報を得ることができ、これまで以上に有用な電子番組ガイドを得ることができるという効果を有している。
【００１１】
また、電子番組ガイド表示としては、番組情報領域（ＭＡＩＮウィンドウ）と、コマンド領域（ＣＯＭＭＡＮＤウィンドウ）と、入力領域（ＩＮＰＵＴウィンドウ）をそれぞれウィンドウ形式で画面上に開くようにして表示することで、例えば従来よく行われている表示形態のように、モードの変化により電子番組ガイド表示の内容が完全に切換わるようなことはなくなり、それだけ使い勝手も向上されることになる。
【００１２】
更に、本発明では電子番組ガイド表示上での各種コントロールや入力操作を行うのに際して、上下左右の４方向に対応するカーソルキー（方向指示キー）及びモード遷移に用いる少数のキーによりすべての操作が可能なように構成することができるため、電子番組ガイドとして多数の機能を備えているような場合でも、ユーザは混乱することなく目的に従った操作を行うことができることにもなる。
【発明を実施するための最良の形態】
【００１３】
以下、図１〜図１５を参照して本発明の実施の形態について説明する。
なお、以降の説明は次の順序で行うこととする。
１．本実施の形態の電子番組ガイド表示制御装置の構成例
２．本実施の形態のＥＰＮとしてのモード遷移
３．メインウィンドウの説明
４．コマンドウィンドウの説明
５．インプットウィンドウの説明
６．ＥＰＮにおける操作例
７．処理動作の説明
【００１４】
１．本実施の形態の電子番組ガイド表示制御装置の構成例。
図１は、本発明の実施の形態としての電子番組ガイド表示制御装置の構成の一例を示すブロック図である。なお、本実施の形態においては、後述するように放送番組の情報とＶＴＲによりビデオテープに録画した録画番組の情報を電子番組ガイドとして表示出力するものであるが、このような形態の電子番組ガイドについては、「ＥＰＮ（Erectrical Program Navigator) 」ということにする。
【００１５】
図１において、アンテナ１にて受信された放送波はチューナ２に供給され、ここで受信チャンネルの選局が行われる。選局されたチャンネルの映像信号はビデオプロセッサ４とＥＰＮコントローラ８に分岐して供給され、音声信号はオーディオプロセッサ３に供給される。
【００１６】
オーディオプロセッサ３は入力された音声信号について所要の信号処理を施して音声出力信号Ａｕｄｉｏ  Ｏｕｔとして出力する。また、オーディオプロセッサ３は、ＶＴＲ部１１の音声記録／再生ヘッドＨA と接続されており、記録時の動作として、オーディオプロセッサ３により信号処理を施した音声信号を音声記録／再生ヘッドＨA に供給して磁気テープＴに対して音声の記録を行う。また、再生時のオーディオプロセッサ３の動作として、音声記録／再生ヘッドＨA により磁気テープＴから再生した音声信号を入力して信号処理を施した後に、音声出力信号Ａｕｄｉｏ  Ｏｕｔとして出力する。
【００１７】
ビデオプロセッサ４は入力された映像信号について所要の信号処理を施して、ＶＴＲ部１１の映像記録／再生ヘッドＨA 、及びオンスクリーンディスプレイ５に出力することができる。
この場合、ビデオプロセッサ４は、ＶＴＲ部１１による記録時の動作として、ビデオプロセッサ４により信号処理を施した映像信号を映像記録／再生ヘッドＨV に供給することにより磁気テープＴに対して映像の記録を行う。また、再生時のビデオプロセッサ４の動作として、映像記録／再生ヘッドＨV により磁気テープＴから再生した映像信号を入力して信号処理を施した後に、オンスクリーンディスプレイ５に出力する。
【００１８】
オンスクリーンディスプレイ５は、ビデオプロセッサ４から供給された映像信号に対して、所要のキャラクタやシンボル等の映像信号を重畳する。これにより、モニタ装置１２に表示される画像上の所定位置にキャラクタやシンボルがインポーズされる。
映像スイッチ６は、オンスクリーンディスプレイ５から出力される通常の映像信号（チューナ２で受信／選局して得られる映像信号、又はＶＴＲ１１で再生された映像信号）と、後述するＥＰＮコントローラ８から出力されるＥＰＮ画面の映像信号との切換え又は合成を行う。本実施の形態の映像スイッチ６では、オンスクリーンディスプレイ５から出力される映像信号に対して、ＥＰＮコントローラ８から出力されるＥＰＮ画面の映像信号を合成することにより、モニタ装置１２の表示画面上において通常の画像上にインポーズするようにしてＥＰＮ画面のウィンドウを表示させることが可能である。
モニタ装置１２は、上記映像スイッチ６から供給された映像信号について表示を行う。
【００１９】
ＶＴＲ部１１は、オーディオプロセッサ３及びビデオプロセッサ４から供給される音声／映像信号を、音声記録／再生ヘッドＨA 及び映像記録／再生ヘッドＨV によりビデオテープの磁気テープＴに記録する。また、ビデオテープの磁気テープＴに記録された映像／音声信号を、音声記録／再生ヘッドＨA 及び映像記録／再生ヘッドＨV により再生してオーディオプロセッサ３及びビデオプロセッサ４に供給する。
本実施の形態の場合、ＶＴＲ部１１の記録／再生制御はチューナ／タイマーコントローラ７により実行され、このチューナ／タイマーコントローラ７の制御により、チューナ２で受信／選局された番組を録画することができる。また、チューナ／タイマーコントローラ７の制御によって、指定された選局チャンネルと予約録画時間等に基づいて放送番組（チューナ２で受信／選局された番組）の予約録画も行うことができる。
【００２０】
ＶＴＲ部１１のコントロールヘッドＨC は、垂直同期信号に基づいて発生され、再生時の同期を得るためのコントロール信号を記録／再生するのに加えて、本実施の形態においては、システムコントローラ９から出力される録画番組情報のデータ信号を上記コントロール信号に重畳するようにして記録する。また、再生時においては磁気テープＴのコントロールトラック上にコントロール信号と共に記録された録画番組情報のデータ信号を再生してシステムコントローラ９に供給する。
【００２１】
チューナ／タイマーコントローラ７は、チューナ２の選局動作及びＶＴＲ部１１のタイマー録画予約等の制御を実行する。
ＥＰＮコントローラ８は、ＥＰＮの表示出力及びその表示に関連する制御を行う。
本実施の形態においては、送信側より送信される映像信号の垂直ブランキング期間の所定の水平ラインに対して、放送番組に関連するガイドとなる情報である電子番組ガイドのデータ信号が挿入されている。そこで、ＥＰＮコントローラ８は、チューナ２にて受信／選局して得られた映像信号を入力して、映像信号から電子番組ガイドのデータ信号成分を抽出してデコード処理を施し、電子番組ガイドデータを得る。デコードして得られた電子番組ガイドデータは、データメモリ１０において記憶される。そして、必要に応じて、データメモリ１０に保持されている電子番組ガイドデータ（及び後述するテープライブラリデータ）を読み出してＥＰＮ用の映像信号を生成して映像スイッチ６に供給することで、モニタ装置１２においてＥＰＮが表示される。
【００２２】
システムコントローラ９は、マイクロコンピュータなどにより構成され、各機能回路部の処理制御を実行する。また、システムコントローラ９には図示しない受信部が備えられており、リモートコントローラ１３から送信された送信信号を受信してコマンド情報として得るようにしている。システムコントローラ９は、このコマンド情報に基づいてこれまで説明したきた各機能回路部の制御動作を実行する。
【００２３】
データメモリ１０は、例えば不揮発性メモリ等によって構成され、前述のようにしてＥＰＮコントローラ８において得られた放送番組に関連する電子番組ガイドデータを格納する領域を備えている。
また、本実施の形態では、放送番組をＶＴＲ部１１により録画する際に、番組が記録されたビデオテープとの対応を図るようにして録画番組に関連する所要のデータ（以降テープライブラリデータという）が録画イベントとして、ＥＰＮコントローラ８において作成され、データメモリ１０に格納するように構成される。このため、データメモリ１０においては、このテープライブラリデータが格納される領域としてテープライブラリメモリ１０ａの領域が設けられている。
なお、以降は放送番組に関連する「電子番組ガイドデータ」と、上記「テープライブラリデータ」を一括してＥＰＮデータともいうことにする。
【００２４】
ここで、上記テープライブラリデータの内容であるが、例えば、番組が録画されるビデオテープとの対応をとるためのデータとしては、録画番組が記録されたビデオテープのカセット番号データと、ビデオテープ内における当該録画番組の録画順データが必要となる。本実施の形態の場合、ビデオテープに対しては、前述したコントロールヘッドＨC により、少なくとも上記カセット番号データと、どの録画番組がどの録画（開始）位置に記録されているかといったデータが必要になる。
また、番組自体に関連する情報としては、番組名、開始／終了時間等各種考えられる。このような番組自体に関連する情報は、録画番組に対応する電子番組ガイドデータに基づいて作成することができる。
【００２５】
リモートコントローラ１３には、この図に示す各機能回路部の動作について所要の操作を行うための各種キーが設けられているものとされ、そのキー操作に応じたコマンド信号を、例えば赤外線や電波等により送信するように構成されている。
図２は、リモートコントローラ１３のキー操作パネルの一部として、後述するようにして本実施の形態のＥＰＮ画面上での各種操作を行う場合に用いるキーが配置された部位を示している。
この図には、ＥＰＮキー１３−１、コマンドキー１３−２、及びジョイスティック部１３Ａが示されている。
ＥＰＮキー１３−１は、通常の画面（チューナ２で受信／選局して得られる映像、又はＶＴＲ１１で再生された映像の画面）を表示する、「ｎｏｒｍａｌモード」と、ＥＰＮ画面を表示する「ＥＰＮモード」との切換えを行うためのキーである。コマンドキー１３−２は、「ＥＰＮモード」においてＭＡＩＮウィンドウ（ＭＡＩＮモード）とＣＯＭＭＡＮＤウィンドウ（ＣＯＭＭＡＮＤモード）間を移行するために設けられる。
ジョイスティック部１３Ａは、アップキー１３Ａ−１、ダウンキー１３Ａ−２、ライトキー１３Ａ−３、レフトキー１３Ａ−４の方向指示キー及び、ＥＸＥキー１３Ａ−５を備えて構成される。上記４つの方向指示キーは、例えば、後述するＥＰＮ画面上において表示されるカラーバーやカーソルをそれぞれキー操作方向に従って移動させたり、アップキー１３Ａ−１、ダウンキー１３Ａ−２により入力数値の増減やオン／オフ設定等を行うのにも散ることができる。なお、以降はこれら４つの方向指示キーについては、主としてカラーバーやカーソルを移動させるのに用いられる場合が多いことから、一括してカーソルキーともいうことにする。
また、ＥＸＥキー１３Ａ−５は、後述するようにＥＰＮ画面としてのＣＯＭＭＡＮＤウィンドウ（ＣＯＭＭＡＮＤモード）とＩＮＰＵＴウィンドウ（ＩＮＰＵＴモード）間を移行するために用いるキーである。
【００２６】
２．本実施の形態のＥＰＮとしてのモード遷移。
次に、図３及び図４を参照して本実施の形態のＥＰＮとしてのモード遷移について説明する。図３は、本実施の形態のＥＰＮのモード遷移の概念をチャート的に示しており、図４はＥＰＮのモード遷移をＥＰＮ画面のウィンドウ表示と共に示す図である。
図３及び図４において、ｎｏｒｍａｌモードは、前述のようにチューナ２で受信／選局して得られる映像、又はＶＴＲ１１で再生された映像の画面を表示する通常の表示モードである。本実施の形態では、このｎｏｒｍａｌモードに対してＥＰＮ画面を表示するＥＰＮモードが設定される。そして、ｎｏｒｍａｌモードとＥＰＮモードとの切換えは、図２に示したＥＰＮキー１３−１を操作することにより行われる。
【００２７】
ＥＰＮモードにおいては、更にＭＡＩＮモード、ＣＯＭＭＡＮＤモード、ＩＮＰＵＴモードが存在する。
本実施の形態では、ｎｏｒｍａｌモードの状態からＥＰＮキー１３−１の操作によりＥＰＮモードに移行した場合には、図３及び図４から分かるように先ずＭＡＩＮモードに入ることになる。
【００２８】
ＭＡＩＮモードでは、例えば、図４に示すように表示画面Ｐ内においてＭＡＩＮウィンドウＷ１が表示される。この場合、表示画面ＰにおけるＭＡＩＮウィンドウＷ１以外の領域は、例えばｎｏｒｍａｌモード時の画像が継続して表示されている。あるいは、ブルーバック表示などが行われるようにされても構わない。  ＭＡＩＮウィンドウＷ１には、例えば、後述するような表示形態によって、表示モードに応じて電子番組ガイドの番組情報（放送予定の番組情報）、及びこれまで当該装置のＶＴＲ部１１によりビデオテープに録画した録画番組の情報等を、ナビゲートモードに応じて表示する。
この場合，ＭＡＩＮモードにおけるナビゲートモードとしては、図３に記すように［ａｌｌ  ｃｈａｎｎｅｌ  ｎａｖｉｇａｔｅ］，［ｔｈｉｓ  ｃｈａｎｎｅｌ  ｎａｖｉｇａｔｅ］，［ａｌｌ  ｔａｐｅ  ｎａｖｉｇａｔｅ］，［ｔｈｉｓ  ｔａｐｅ  ｎａｖｉｇａｔｅ］が設けられているが、これらの定義については後述する。
【００２９】
ＥＰＮモードにおいてＭＡＩＮモードとされている状態で、コマンドキー１３−２が操作されると、図３及び図４に示すように、ＭＡＩＮモードからＣＯＭＭＡＮＤモードに移行する。この状態では、図４に示すようにＭＡＩＮウィンドウＷ１に加えてＣＯＭＭＡＮＤウィンドウＷ２が表示される。ＣＯＭＭＡＮＤモードは、ＥＰＮとして所要の指定操作を実行する場合に用いるモードであり、ＣＯＭＭＡＮＤウィンドウＷ２にはこの指定操作のための各種コマンド項目が表示される。
また、図４のＣＯＭＭＡＮＤモード時の表示状態としては、ＭＡＩＮウィンドウＷ１内が斜線で示されているのに対し、ＣＯＭＭＡＮＤウィンドウＷ２のウィンドウ内が白抜きで示されているが、これは、ＣＯＭＭＡＮＤウィンドウＷ２がアクティブウィンドウとされて、図２に示したカーソルキーによる操作等が有効とされていることを示す何らかの表示が行われている状態であることを示している。
なお、図３においては、ＣＯＭＭＡＮＤウィンドウＷ２における操作項目として、［ｓｏｕｒｃｅ  ｃｈａｎｇｅ／ｅｘｔｅｎｔｉｏｎ  ｃｈａｎｇｅ］・・・［ＥＰＮ  ｓｅｔ  ｕｐ］の６項目が記されているが、これについては後述する。
【００３０】
次に、ＥＰＮモードにおいてＣＯＭＭＡＮＤモードとされている状態で、ある特定の操作項目を選択した状態でＥＸＥキー１３Ａ−５を操作した場合には、図３及び図４に示すように、ＩＮＰＵＴモードに移行する。このＩＮＰＵＴモードでは図４のように、ＣＡＭＭＡＮＤウィンドウＷ１、ＣＯＭＭＡＮＤウィンドウＷ２に加えてＩＮＰＵＴウィンドウＷ３が表示される。そしてこの場合には、ＩＮＰＵＴウィンドウＷ３のみが白抜きで表現されていることから分かるように、ＩＮＰＵＴウィンドウＷ３がアクティブウィンドウとなる。
ＩＮＰＵＴモードは、例えばＣＡＭＭＡＮＤウィンドウＷ２において指定された操作項目に属する所要のパラメータ等の入力を行うためのモードであり、ＩＮＰＵＴウィンドウＷ３内にはこのようなパラメータの入力が行えるような表示が行われる。
図３においては、ＩＮＰＵＴウィンドウＷ３における入力項目として、［ｒｅｃ  ｉｎｐｕｔ］・・・［ｔａｐｅ  ｅｄｉｔ］等の６項目が記されているが、これらについては後述する。
【００３１】
ＩＮＰＵＴモードの状態において、適正にパラメータの入力操作が終了、又はＥＸＥキー１３Ａ−５が操作されたような場合には、図３及び図４に示すようにしてＣＯＭＭＡＮＤモードに移行する。
【００３２】
また、ＥＰＮモードにおける何れのモードの状態にあっても、ＥＰＮキー１３−１が操作された場合には、直接ｎｏｒｍａｌモードに戻ることができるようにされている。
【００３３】
３．メインウィンドウの説明。
以下、図３及び図４にて説明したＥＰＮ画面としてのＭＡＩＮウィンドウＷ１、ＣＯＭＭＡＮＤウィンドウＷ２、及びＩＮＰＵＴウィンドウＷ３の各々の具体的表示形態について説明することとし、先ず、ＭＡＩＮウィンドウＷ１について図５〜図７を参照して説明する。
【００３４】
図５（ａ）は、図４に示したＭＡＩＮウィンドウＷ１の表示領域区分を示している。
ＭＡＩＮウィンドウＷ１は、例えばこの図に示すように、ｓｔａｔｕｓ  ａｒｅａ（Ａ１），ｐｒｏｇ  ｉｎｆｏ  ａｒｅａ（Ａ２），ｔｉｍｅ  ｉｎｆｏ  ａｒｅａ（Ａ３），ｌｉｓｔｉｎｇ  ａｒｅａ（Ａ４），ｄｅｔａｉｌ  ｂｏｘ（Ａ５）の５つの表示領域に区分されている。
【００３５】
図５（ｂ）は、ＭＡＩＮウィンドウＷ１の各表示領域の表示内容をモードごとに示している。
ところで、ＭＡＩＮモードにおけるナビゲートモードとしては、前述のように、［ａｌｌ  ｃｈａｎｎｅｌ  ｎａｖｉｇａｔｅ］，［ｔｈｉｓ  ｃｈａｎｎｅｌ  ｎａｖｉｇａｔｅ］，［ａｌｌ  ｔａｐｅ  ｎａｖｉｇａｔｅ］，［ｔｈｉｓ  ｔａｐｅ  ｎａｖｉｇａｔｅ］の各モードが設定されているが、ここで先ず、ナビゲートモードの各々の定義について説明する。
【００３６】
ａｌｌ  ｃｈａｎｎｅｌ  ｎａｖｉｇａｔｅモードは、現時点以降において放送中又は放送予定の番組についてのすべての情報を提供可能なモードであり、ｔｈｉｓ  ｃｈａｎｎｅｌ  ｎａｖｉｇａｔｅモードは、所定の操作により指定されたチャンネルにおいて、現時点以降放送中又は放送予定の番組についての情報を提供するモードである。
また、ａｌｌ  ｔａｐｅ  ｎａｖｉｇａｔｅは、これまで、テープライブラリメモリ１０ａに格納されているすべてのテープライブラリデータを参照することにより、これまでＶＴＲ部１１により録画したとされるすべてのビデオテープカセットの録画番組に関する情報を提供するモードとされ、ｔｈｉｓ  ｔａｐｅ  ｎａｖｉｇａｔｅモードは、これまでＶＴＲ部１１により録画したビデオテープカセットのうち、所定操作により選択したある１つのビデオテープカセットの録画番組に関する情報を提供するモードとされる。
【００３７】
つまり、上記４つのナビゲートモードを切換えることによって、ＥＰＮとしての表示内容が適宜変更され、全チャンネル又は特定チャンネルの放送番組に関する電子番組ガイドとしての機能、あるいは、これまでＶＴＲ部１１により録画した全テープカセット又は特定のテープカセットの録画番組に関する電子番組ガイドとしての機能が切換わることになる。
このモード切換えは後述するコマンドウィンドウＷ２上で所定のコマンド項目を選択して所要の操作を行うことにより実行することができる。
【００３８】
図５（ｂ）によれば、ｓｔａｔｕｓ  ａｒｅａ（Ａ１）は、ＥＰＮの現在のｓｔａｔｕｓ（ナビゲートモードの状態）を表示する領域であり、上述した４つのナビゲートモードのうち、現在どのナビゲートモードが設定されているかを示す表示が行われる領域である。
【００３９】
また、ｐｒｏｇ  ｉｎｆｏ  ａｒｅａ（Ａ２）は、ｌｉｓｔｉｎｇ  ａｒｅａ（Ａ４）で現在選択されている（カーソルが配置されている）番組に関する情報を表示する領域である。そして、ａｌｌ  ｃｈａｎｎｅｌ  ｎａｖｉｇａｔｅモード又はｔｈｉｓ  ｃｈａｎｎｅｌ  ｎａｖｉｇａｔｅモードであれば、番組の放送されるチャンネル番号，番組の開始／終了時間等が表示される。また、ａｌｌ  ｔａｐｅ  ｎａｖｉｇａｔｅモード、又はｔｈｉｓ  ｔａｐｅ  ｎａｖｉｇａｔｅモードであれば、番組が録画されているビデオテープに付されている番号（ｔａｐｅ  Ｎｏ），テープ上の番組の開始／終了位置等の情報が表示される。
【００４０】
ｔｉｍｅ  ｉｎｆｏ  ａｒｅａ（Ａ３）には、例えば、モードに関わらず現在時間が表示される。
【００４１】
ｌｉｓｔｉｎｇ  ａｒｅａ（Ａ４）は、ｓｔａｔｕｓ  ａｒｅａ（Ａ１）に表示されているモードの属性に従って、１行ごとに番組情報を表示する領域であり、ａｌｌ  ｃｈａｎｎｅｌ  ｎａｖｉｇａｔｅモード又はｔｈｉｓ  ｃｈａｎｎｅｌ  ｎａｖｉｇａｔｅモードであれば、番組名、番組長（又は開始時間）、放送チャンネル等の情報が視覚的に認識可能なように表示される。また、ａｌｌ  ｔａｐｅ  ｎａｖｉｇａｔｅモード、又はｔｈｉｓ  ｔａｐｅ  ｎａｖｉｇａｔｅモードの場合には番組名、番組長（又は開始位置）、その番組が録画されているビデオテープのｔａｐｅ  Ｎｏ．等の情報が表示される。
【００４２】
ｄｅｔａｉｌ  ｂｏｘ（Ａ５）は、ｌｉｓｔｉｎｇ  ａｒｅａ（Ａ４）で選択されている番組に関する何らかのコメントが表示される。この場合、ａｌｌ  ｃｈａｎｎｅｌ  ｎａｖｉｇａｔｅモード又はｔｈｉｓ  ｃｈａｎｎｅｌ  ｎａｖｉｇａｔｅモードであれば、例えば、電子番組ガイドデータに基づいて番組の内容を概略的に示すような文字表示（１ｓｔ  ｄｅｔａｉｌ）が行われるが、本実施の形態では、ａｌｌ  ｔａｐｅ  ｎａｖｉｇａｔｅモード、又はｔｈｉｓ  ｔａｐｅ  ｎａｖｉｇａｔｅモードの場合には非表示と定義されている。
【００４３】
図６にＭＡＩＮウィンドウの具体的表示例を示す。この場合、ｓｔａｔｕｓ  ａｒｅａ（Ａ１）には、ａｌｌ  ｃｈａｎｎｅｌ  ｎａｖｉｇａｔｅモードであることを示すアイコンが表示されており、ｐｒｏｇ  ｉｎｆｏ  ａｒｅａ（Ａ２）には、ｌｉｓｔｉｎｇ  ａｒｅａ（Ａ４）で選択されている番組名『Ｓｉｓｔｅｒｓ』の開始／終了時間がバー表示され、ｔｉｍｅ  ｉｎｆｏ  ａｒｅａ（Ａ３）には現在時間が文字表示されている。ｌｉｓｔｉｎｇ  ａｒｅａ（Ａ４）には、行ごとに番組名、放送開始時間、放送局名が表示されている。この図では番組『Ｓｉｓｔｅｒｓ』の欄にカラーバーＣＢ（カーソルに相当する）が配置され、番組『Ｓｉｓｔｅｒｓ』が選択されている状態が示されている。そして、ｄｅｔａｉｌ  ｂｏｘ（Ａ５）には番組『Ｓｉｓｔｅｒｓ』に関するコメントとして、その内容を示す概略的な記述が表示されている。
【００４４】
図７は、ＭＡＩＮモードにおいて、ＥＰＮキー１３−１、コマンドキー１３−２、カーソルキー（１３Ａ−１〜１３Ａ−４）に割り当てられる機能について示している。なお、ＭＡＩＮモードではＥＸＥキー１３Ａ−５は用いられずその操作は無効となる。そして、図７（ａ）（ｂ）（ｃ）（ｄ）は、それぞれａｌｌ  ｃｈａｎｎｅｌ  ｎａｖｉｇａｔｅモード、ｔｈｉｓ  ｃｈａｎｎｅｌ  ｎａｖｉｇａｔｅモード，ａｌｌ  ｔａｐｅ  ｎａｖｉｇａｔｅモード、ｔｈｉｓ  ｔａｐｅ  ｎａｖｉｇａｔｅの各ナビゲートモードの場合が示されている。
【００４５】
これらの図から分かるように、ＭＡＩＮモードにおける４つのモードの何れの場合においても、ＥＰＮキー１３−１を操作した場合には、ｎｏｒｍａｌモードに戻り、コマンドキー１３−２を操作した場合にはＣＯＭＭＡＮＤモードに移行する。また、カーソルキーとしてアップキー１３Ａ−１及びダウンキー１３Ａ−２を操作した場合には、そのキー方向に応じてｌｉｓｔｉｎｇ  ａｒｅａ（Ａ４）のカラーバーＣＢが欄ごとに移動して選択番組を変更することができる。
【００４６】
また、カーソルキーであるライトキー１３Ａ−３及びレフトキー１３Ａ−４を操作した場合には、ＭＡＩＮモードにおける各モードによってその定義が異なる。
ａｌｌ  ｃｈａｎｎｅｌ  ｎａｖｉｇａｔｅモードの場合には、図７（ａ）に示すようにライトキー１３Ａ−３にはｎｅｘｔ  ｔｉｍｅ  ｓｌｏｔ、レフトキー１３Ａ−４にはｐｒｅｖｉｏｕｓ  ｔｉｍｅ  ｓｌｏｔの機能が割り当てられる。この場合、ライトキー１３Ａ−３を操作した場合には、ｌｉｓｔｉｎｇ  ａｒｅａ（Ａ４）において番組の放送時間帯の次の時間帯の番組がリストとして表示され、レフトキー１３Ａ−４を操作した場合には、現在表示されている番組の放送時間帯の前の時間帯の番組がリストとして表示される。
【００４７】
ｔｈｉｓ  ｃｈａｎｎｅｌ  ｎａｖｉｇａｔｅモードの場合には、図７（ｂ）に示すようにライトキー１３Ａ−３にはｎｅｘｔ  ｃｈａｎｎｅｌ  ｓｌｏｔ、レフトキー１３Ａ−４にはｐｒｅｖｉｏｕｓ  ｃｈａｎｎｅｌ  ｓｌｏｔの機能が割り当てられる。この場合、ライトキー１３Ａ−３を操作した場合には、ｌｉｓｔｉｎｇ  ａｒｅａ（Ａ４）において、チャンネル番号順として、現在指定されているチャンネルの次のチャンネル番号の番組がリストとして表示され、レフトキー１３Ａ−４を操作した場合には、現在指定されているチャンネルの前のチャンネル番号の番組がリストとして表示される。
【００４８】
また、ｔｈｉｓ  ｔａｐｅ  ｎａｖｉｇａｔｅモードの場合には、図７（ｄ）に示すようにライトキー１３Ａ−３にはｎｅｘｔ  ｔａｐｅ  ｓｌｏｔ、レフトキー１３Ａ−４にはｐｒｅｖｉｏｕｓ  ｔａｐｅ  ｓｌｏｔの機能が割り当てられる。この場合、ライトキー１３Ａ−３を操作した場合には、ｌｉｓｔｉｎｇ  ａｒｅａ（Ａ４）において、ビデオテープ番号（ｔａｐｅ  Ｎｏ）順として、現在指定されているビデオテープ番号の次の番号のビデオテープに録画されている番組がリストとして表示され、レフトキー１３Ａ−４を操作した場合には、現在指定されているビデオテープ番号の前の番号のビデオテープに録画されている番組がリストとして表示される。
【００４９】
４．コマンドウィンドウの説明。
次に、図８によりＣＯＭＭＡＮＤウィンドウＷ２の具体的表示形態について説明する。
図８（ａ）は、ＣＯＭＡＮＤウィンドウＷ２の表示領域区分を示している。この図に示すように、ＣＯＭＡＮＤウィンドウＷ２は、コマンドアイコンが表示される表示エリアＡ１０〜Ａ１７の８つの領域に区分される。そして、本実施の形態ではＣＯＭＡＮＤウィンドウＷ２の表示モードとして、ｃｏｍｍａｎｄ＿０  ｍｏｄｅとｃｏｍｍａｎｄ＿１  ｍｏｄｅの２つのモードが設けられており、ｃｏｍｍａｎｄ＿０  ｍｏｄｅの場合とｃｏｍｍａｎｄ＿１  ｍｏｄｅの場合では、表示エリアＡ１０〜Ａ１７に表示されるコマンドアイコンが異なるように定義されている。つまり、表示エリアＡ１０〜Ａ１７に対して、ｃｏｍｍａｎｄ＿０  ｍｏｄｅではｃｏｍｍａｎｄ  ｉｃｏｎ０＿０〜ｃｏｍｍａｎｄ  ｉｃｏｎ０＿７が表示され、ｃｏｍｍａｎｄ＿１  ｍｏｄｅでは、ｃｏｍｍａｎｄ  ｉｃｏｎ１＿０〜ｃｏｍｍａｎｄ  ｉｃｏｎ１＿７が表示される。
従って、本実施の形態では８つの表示エリアを有するＣＯＭＡＮＤウィンドウＷ２において、最大でその２倍の１６種類のコマンドアイコンを設定して表示させることが可能とされている。これにより、本実施の形態では限られた表示スペースにおいてもできるだけ多くの機能をＣＯＭＭＡＮＤウィンドウＷ２として表示させることが可能となる。
【００５０】
上記ｃｏｍｍａｎｄ＿０  ｍｏｄｅとｃｏｍｍａｎｄ＿１  ｍｏｄｅとの切換えは図８（ｃ）に示すように、コマンドキー１３−２を操作して行う。例えばＭＡＩＮモードの状態でコマンドキー１３−２を操作することによりＣＯＭＭＡＮＤモードに移行するが、このときには、ｃｏｍｍａｎｄ＿０  ｍｏｄｅとなる。そして、この状態からコマンドキー１３−２を操作すると、ＣＯＭＭＡＮＤモードを継続した上で、ｃｏｍｍａｎｄ＿１  ｍｏｄｅに切換わる。そして、この状態から更にコマンドキー１３−２を操作すると再びＭＡＩＮモードに戻るようにされる。
【００５１】
図８（ｂ）には、ＣＯＭＭＡＮＤウィンドウＷ２の各表示エリアの定義内容（コマンドアイコン）が、ｃｏｍｍａｎｄ  Ｎｏ．に対応して示されている。この図には、ｃｏｍｍａｎｄ  Ｎｏ．０＿０〜０＿７及び１＿０〜１＿７が示されており、このｃｏｍｍａｎｄ  Ｎｏ．は、図８（ａ）にて説明したコマンドアイコン０＿０〜０＿７及び１＿０〜１＿７で表示されるの各コマンド項目に対応する。
【００５２】
この図によると、ｃｏｍｍａｎｄ  Ｎｏ．０＿０は、［ｓｏｕｒｃｅ  ｃｈａｎｇｅ］として定義され、ｃｈａｎｎｅｌ  ｎａｖｉｇａｔｅモードとｔａｐｅ  ｎａｖｉｇａｔｅモードの切換えを行う項目となる。
ｃｏｍｍａｎｄ  Ｎｏ．０＿１は、［ｅｘｔｅｎｓｉｏｎ  ｃｈａｎｇｅ］として定義され、ｃｈａｎｎｅｌ  ｎａｖｉｇａｔｅモード及びｔａｐｅ  ｎａｖｉｇａｔｅモードにおいて、［ａｌｌ］と［ｔｈｉｓ］モードの切換えを行う項目である。
ｃｏｍｍａｎｄ  Ｎｏ．０＿２は、［ｄｉｓｐｌａｙ  ｄｅｔａｉｌ  ＯＮ／ＯＦＦ］として定義されて、ｄｅｔａｉｌ  ｂｏｘＡ５の表示のＯＮ／ＯＦＦを行うための項目である。
また、ｃｏｍｍａｎｄ  Ｎｏ．０＿３は、［ｄｉｓｐｌａｙ  ａｔｔｒｉｂｕｔｅ  ｃｈａｎｇｅ］とされて、ｌｉｓｔｉｎｇ  ａｒｅａの番組の時間に関連する情報の表示切換えを行う項目であり、ｃｏｍｍａｎｄ  Ｎｏ．０＿４は、［ｄｉｓｐｌａｙ  ａｒｒｅｎｇｅ  ｃｈａｎｇｅ］とされて、ｌｉｓｔｉｎｇ  ａｒｅａの番組の表示順の切換えを行う項目であり、ｃｏｍｍａｎｄ  Ｎｏ．０＿５は、［ｄｉｓｐｌａｙ  ｏｂｊｅｃｔ  ｃｈａｎｇｅ］とされて、ｌｉｓｔｉｎｇ  ａｒｅａのｓｏｕｒｃｅの選択を行う項目として定義されている。
ｃｏｍｍａｎｄ  Ｎｏ．０＿６及びｃｏｍｍａｎｄ  Ｎｏ．０＿７は、未定義とされている。
【００５３】
また、ｃｏｍｍａｎｄ  Ｎｏ．１＿０は、［ｖｉｅｗ］として定義され、ｌｉｓｔｉｎｇ  ａｒｅａで選択されている番組を視聴するための項目となる。
ｃｏｍｍａｎｄ  Ｎｏ．１＿１は、［ｒｅｃ］として定義され、ｌｉｓｔｉｎｇ  ａｒｅａで選択されている番組の録画（予約録画を含む）を実行させるための項目である。
ｃｏｍｍａｎｄ  Ｎｏ．１＿２は、［ＥＰＮ  ｓｅｔ  ｕｐ］として定義され、ＥＰＮ画面の各種セットアップ（設定）を行うための項目となる。後述するように、ＣＯＭＭＡＮＤモードにおいて、このような項目について選択を行った場合には、ＩＮＰＵＴモードに移行して、セットアップ用のパラメータを表示するＩＮＰＵＴウィンドウが表示される。
また、ｃｏｍｍａｎｄ  Ｎｏ．１＿３は、［ｐｒｏｇｒａｍ  ｅｄｉｔ］として定義され、例えばｌｉｓｔｉｎｇ  ａｒｅａで選択されている番組の編集作業に入るための項目とされ、ｃｏｍｍａｎｄ  Ｎｏ．１＿４は、［ｔａｐｅ  ｅｄｉｔ］とされて、ｌｉｓｔｉｎｇ  ａｒｅａで選択されているビデオテープの編集に入るための項目とされる。このような編集のためのコマンド項目が選択された場合にもＩＮＰＵＴモードに移行して、編集用の所要のパラメータを表示するＩＮＰＵＴウィンドウが表示されることになる。
ｃｏｍｍａｎｄ  Ｎｏ．１＿５〜１＿７は、未定義とされている。
【００５４】
つまり、ＣＯＭＭＡＮＤモードではｃｏｍｍａｎｄ＿０  ｍｏｄｅとｃｏｍｍａｎｄ＿１  ｍｏｄｅのそれぞれにおいて、上記したｃｏｍｍａｎｄ  Ｎｏ．０＿０〜０＿７、及び１＿０〜１＿７で定義されたコマンド項目が割り当てられており、ＣＯＭＭＡＮＤウィンドウＷ２においては、ｃｏｍｍａｎｄ＿０  ｍｏｄｅとｃｏｍｍａｎｄ＿１  ｍｏｄｅの各モードにおいて、ｃｏｍｍａｎｄ  Ｎｏ．０＿０〜０＿７、及び１＿０〜１＿７の項目をシンボル的に示すアイコンが表示エリアＡ１０〜Ａ１７に表示される。
なお、未定義とされているｃｏｍｍａｎｄ  Ｎｏ．に対応する表示エリアについてはＣＯＭＭＡＮＤウィンドウＷ２として表示されない。
【００５５】
図６に、ＣＯＭＭＡＮＤウィンドウＷ２の具体的表示例を示す。この図では、ｃｏｍｍａｎｄ＿０  ｍｏｄｅ時のコマンドアイコンが各表示エリアＡ１０〜Ａ１５に表示されている。
【００５６】
ユーザは、ＣＯＭＭＡＮＤモードとされて、図６に示すようにＣＯＭＡＮＮＤウィンドウＷ２が表示されている状態では、例えばライトキー１３Ａ−３及びレフトキー１３Ａ−４を操作して、ＣＯＭＡＮＮＤウィンドウＷ２上のカーソルを表示エリア単位で移動させて所望のコマンド項目を選択することができる。そして、この状態でＥＸＥキー１３Ａ−５を操作すれば、選択されたコマンド項目に対応する機能が実行される、または、ＩＮＰＵＴモードに移行して、選択されたコマンド項目に対応するパラメータが表示されたＩＮＰＵＴウィンドウＷ３が表示されることになる。
【００５７】
５．インプットウィンドウの説明。
次に、図９を参照してＩＮＰＵＴウィンドウＷ３の具体的表示形態について説明する。
ＩＮＰＵＴウィンドウＷ３は、そのウィンドウとしての表示領域全体がｉｎｐｕｔ  ａｒｅａとして定義されており、例えば図４に示したようにＣＯＭＭＡＮＤウィンドウＷ２の下側の領域に表示されるようになっている。
【００５８】
ＩＮＰＵＴモードへの移行は図９（ｃ）に示されている。例えば、ＣＯＭＭＡＮＤモードの状態において、カーソルキー等の操作により所望のコマンドアイコン（コマンド項目）にカーソルを配置させた状態で、エンター操作としてＥＸＥキー１３Ａ−５を操作すると、ＩＮＰＵＴモードに移行してＩＮＰＵＴウィンドウＷ３が表示され、このＩＮＰＵＴウィンドウＷ３内に、上記操作により選択されたコマンド項目に対応するパラメータが表示される。ＩＮＰＵＴモードでは当然のこととしてＳＩＮＰＵＴウィンドウＷ３がアクティブウィンドウとなる。
そして、例えばＩＮＰＵＴウィンドウＷ３上で変更が必要なパラメータについて所定の操作によって変更を行った後、ＥＸＥキー１３Ａ−５を操作すればＩＮＰＵＴウィンドウＷ３は消去されて、ＣＯＭＭＡＮＤウィンドウＷ２がアクティブウィンドウとなる。つまり、ＩＮＰＵＴモードからＣＯＭＭＡＮＤモードに移行する。
【００５９】
図９（ｂ）には、ＩＮＰＵＴウィンドウＷ３に表示するパラメータの内容の定義が、［ａｌｌ  ｃｈａｎｎｅｌ  ｎａｖｉｇａｔｅ］，［ｔｈｉｓ  ｃｈａｎｎｅｌ  ｎａｖｉｇａｔｅ］，［ａｌｌ  ｔａｐｅ  ｎａｖｉｇａｔｅ］，［ｔｈｉｓ  ｔａｐｅ  ｎａｖｉｇａｔｅ］の各ナビゲートモードごとに示されている。
この図において、最も左の列（縦方向）には、ＣＯＭＭＡＮＤモードにおいて選択されたコマンド項目（図８（ｂ）参照）が示されている。
【００６０】
例えば、ＣＯＭＭＡＮＤモードにおいて、［ｄｉｓｐｌａｙ  ｏｂｊｅｃｔ  ｃｈａｎｇ］のコマンド項目が選択された場合には、ｌｉｓｔｉｎｇ  ａｒｅａのｓｏｕｒｃｅの選択を行うこととなるが、図９（ｂ）に示すようにｔｈｉｓ  ｃｈａｎｎｅｌ  ｎａｖｉｇａｔｅモードとｔｈｉｓ  ｔａｐｅ  ｎａｖｉｇａｔｅとされていたのであれば、ｓｏｕｒｃｅの選択としてｃｈａｎｎｅｌ  Ｎｏを入力するＩＮＰＵＴウィンドウＷ３が表示されることになる。
また、ａｌｌ  ｃｈａｎｎｅｌ（ｔａｐｅ）  ｎａｖｉｇａｔｅモードにおいてｄｉｓｐｌａｙ  ｏｂｊｅｃｔ  ｃｈａｎｇのコマンド項目が選択された場合には、ＩＮＰＵＴウィンドウＷ３は表示されない（ＩＮＰＵＴモードに移行しない）。
【００６１】
ａｌｌ（ｔｈｉｓ）  ｃｈａｎｎｅｌ  ｎａｖｉｇａｔｅモードにおいて、コマンド項目として［ｒｅｃ］が選択された場合には、テープスピード、テープナンバ（ｔａｐｅ  Ｎｏ．）、及びテープ上の録画開始位置などのパラメータがＩＮＰＵＴウィンドウＷ３に表示される。
また、ａｌｌ（ｔｈｉｓ）  ｔａｐｅ  ｎａｖｉｇａｔｅモードにおいてコマンド項目［ｒｅｃ］が選択された場合には、録画番組、テープスピード、及びテープ上の録画開始位置などのパラメータがＩＮＰＵＴウィンドウＷ３に表示される。
【００６２】
また、本実施の形態においては、コマンド項目として［ｐｒｏｇｒａｍ  ｅｄｉｔ］［ｔａｐｅ  ｅｄｉｔ］が選択された場合には、現状としてＩＮＰＵＴモードには移行しない、つまり、ｌｉｓｔｉｎｇ  ａｒｅａで選択されている番組又はテープについての編集機能は設定されていないものとされる。なお、将来的にはこのような編集機能が設けられても構わなく、この場合には、［ｐｒｏｇｒａｍ  ｅｄｉｔ］［ｔａｐｅ  ｅｄｉｔ］のコマンド項目に対応するパラメータがＩＮＰＵＴウィンドウとして表示されることになる。
【００６３】
またＣＯＭＭＡＮＤモードにおいて、［ＥＰＮ  ｓｅｔ  ｕｐ］のコマンド項目が選択された時には、ａｌｌ（ｔｈｉｓ）  ｃｈａｎｎｅｌ  ｎａｖｉｇａｔｅモード、ａｌｌ（ｔｈｉｓ）  ｔａｐｅ  ｎａｖｉｇａｔｅモードの何れの場合においても、同様のＥＰＮ  ｓｅｔ  ｕｐ用のＩＮＰＵＴウィンドウＷ３が表示される。
このときＩＮＰＵＴウィンドウＷ３に表示されるパラメータとしては、ａｕｔｏ  ｃｌｏｃｋ  ｓｅｔ，ａｕｔｏ  ｃｈａｎｎｅｌ  ｓｅｔ，ｃａｂｌｅ  ｂｏｘ  ｓｅｔ，ｄａｔａ  ｒｅｃｅｐｔｉｏｎ  ｔｉｍｅ  ｓｅｔ，ｃｈａｎｎｅｌ  ｓｋｉｐなどがある。
【００６４】
ユーザは、上記のようにしてＩＮＰＵＴモードにおいて表示されるＩＮＰＵＴウィンドウ内の各パラメータについて、リモートコントローラ１３に設けられた所定のキーを操作することにより、機能のオン／オフ設定や数値入力等を行うことができるようにされている。このようなパラメータのオン／オフ設定や数値入力操作に用いるキーとしては、テンキー等をはじめ各種考えられるが、例えばアップキー１３Ａ−１及びダウンキー１３Ａ−２により、機能のオン／オフ設定を行ったり、入力数値の変更を行うように構成することが可能である。つまり、ＥＰＮモードの下では、リモートコントローラ１３に設けられた各種キーのうち、図２に示した部位の少数のキー操作のみによってすべてのコントロールを行うように構成することが可能であり、それだけユーザにとってもキー操作について混乱が無いように配慮することができる。
【００６５】
６．ＥＰＮにおける操作例。
ここで次に、本実施の形態のＥＰＮにおける操作の具体例について図１０及び図１１を参照して説明する。
図１０は、ユーザがＥＰＮ画面による番組表を参考にして、これから視聴する番組を選択する場合の操作例を、表示画面と共に説明する図である。
図１０（ａ）はｎｏｒｍａｌモード時の画面であり、実際にはチューナ２で選局された放送番組、又はＶＴＲ部１１で再生されているビデオテープの映像が表示画面Ｐに表示されている状態にある。この状態から、ＥＰＮキー１３−１を操作すると、ＭＡＩＮモードに移行して、図１０（ｂ）に示すように、ＭＡＩＮウィンドウＷ１が表示される。このＭＡＩＮウィンドウＷ１におけるナビゲートモードとしては、放送番組に関連するａｌｌ（ｔｈｉｓ）  ｃｈａｎｎｅｌ  ｎａｖｉｇａｔｅモードが設定されているものとして説明する。
図１０（ｂ）のＭＡＩＮウィンドウＷ１においては、ｌｉｓｔｉｎ  ａｒｅａにおいて、番組『Ｓｉｓｔｅｒｓ』の欄にカラーバーＣＢが配置されている。この状態で、ユーザはカーソルキーを操作することにより所望の番組を見付けて、カラーバーＣＢを配置させることができる。
例えば、ここでユーザが番組『Ｓｐｌａｓｈ』を見たいと思ったとする。
この場合、ユーザは、カーソルキーのうちアップ／キー１３Ａ−１及びダウンキー１３Ａ−２を操作することによって、図１０（ｃ）に示すように番組『Ｓｐｌａｓｈ』の欄にカラーバーＣＢを配置させる。そして、この状態でコマンドキー１３−２を操作すると、図１０（ｄ）に示すようにＣＯＭＭＡＮＤウィンドウＷ２が表示される。この状態では、ＭＡＩＮモードからＣＯＭＭＡＮＤモードに移行していることで、ＣＯＭＭＡＮＤウィンドウＷ２がアクティブウィンドウとなっている。
【００６６】
ユーザは、図１０（ｄ）に示す表示状態の下で、必要があればｃｏｍｍａｎｄ−１  ｍｏｄｅとするコマンドキー１３−２の操作を行う。そして、ライトキー１３Ａ−３及びレフトキー１３Ａ−４を用いて、ｃｏｍｍａｎｄ  Ｎｏ．１＿０のコマンド項目である［ｖｉｅｗ］にカーソルを配置させる（この場合には、白抜きによりカーソル位置が示されている）。この状態から、ＥＸＥキー１３Ａ−５を操作すれば、ユーザがＥＰＮ画面上で選択した番組『Ｓｐｌａｓｈ』が確定され、この番組が表示されることになる。実際には図１０（ｅ）に示す表示画面Ｐには番組『Ｓｐｌａｓｈ』の画像が表示されていることになる。この場合には、コマンド項目［ｖｉｅｗ］の動作を実行したことにより必然的にｎｏｒｍａｌモードに移行することになる。
【００６７】
なお、テープライブラリデータに録画データが格納されたテープカセットがＶＴＲ部１１に装填されている状態で、ａｌｌ（ｔｈｉｓ）  ｔａｐｅ  ｎａｖｉｇａｔｅモードを設定し、図１０の同様の手順により操作を行えば、ＶＴＲ部１１により選択した録画番組の頭出しを行って再生させることも可能である。このような再生制御は、磁気テープＴのコントロールトラックに記録されている、録画番組の録画開始位置を示す信号を検出することにより可能である。
【００６８】
図１１は、ユーザがＥＰＮ画面による番組表を参考にして、所望の番組について録画予約する場合の操作例を、表示画面と共に説明する図である。
図１１（ａ）に示すｎｏｒｍａｌモード時の表示画面Ｐの状態からＥＰＮキー１３−１を操作することによって、ＭＡＩＮモードとなってＭＡＩＮウィンドウが表示され、この状態でカーソルキーを操作して所望の番組を選択可能なことは、図１０（ａ）→（ｂ）の場合と同様である。
【００６９】
ここで、ユーザが番組『Ｓｐｌａｓｈ』を予約録画したいと思ったとする。なお、図１０の場合には、番組『Ｓｐｌａｓｈ』は現時点で放送中の番組とされていたが、図１１の場合には現時点では放送されておらず、これから放送予定の番組とされる。
そこで、アップ／キー１３Ａ−１及びダウンキー１３Ａ−２を操作することによって、図１１（ｃ）に示すように番組『Ｓｐｌａｓｈ』の欄にカラーバーＣＢを配置させ、この状態でコマンドキー１３−２を操作することで、図１１（ｄ）に示すようにＣＯＭＭＡＮＤウィンドウＷ２が表示される。
【００７０】
そして、図１１（ｄ）に示す表示状態の下で、必要があればｃｏｍｍａｎｄ−１  ｍｏｄｅとするコマンドキー１３−２の操作を行いライトキー１３Ａ−３及びレフトキー１３Ａ−４を用いて、ｃｏｍｍａｎｄ  Ｎｏ．１＿１のコマンド項目である［ｒｅｃ］にカーソルを配置させる。
この状態からユーザがＥＸＥキー１３Ａ−５を操作すると、この場合には図１１（ｅ）に示すように、コマンド項目［ｒｅｃ］に対応するＩＮＰＵＴウィンドウＷ３が表示される（ＩＮＰＵＴモードに移行し、ＩＮＰＵＴウィンドウＷ３がアクティブウィンドウとされる状態）。ここで、ユーザはＩＮＰＵＴウィンドウＷ３上で番組の予約録画のための設定操作を行う。
そして、このＩＮＰＵＴモードの状態からＥＸＥキー１３Ａ−５を操作すれば、ＣＯＭＭＡＮＤモードに移行すると共に、先にユーザがＥＰＮ画面上で選択した番組『Ｓｐｌａｓｈ』の録画予約が実行されることになる。
この場合、図１１（ｆ）に示す表示画面Ｐとしては、実際にはＣＯＭＭＡＮＤモードの画像が表示されている。
【００７１】
７．処理動作の説明。
次に、図１２〜図１５のフローチャートを参照して、各モードにおけるキー操作（図２に示したキー）に応じた制御動作を実現するための処理について説明する。この処理はシステムコントローラ９が実行するものとされる。
【００７２】
図１２は、ｎｏｒｍａｌモード時の処理動作を示しており、このルーチンではステップＳ１０１に示すようにｎｏｒｍａｌモードとされている状態において、続くステップＳ１０２でＥＰＮキー１３−１の操作を待機している。そして、ＥＰＮキー１３−１の操作が行われたと判別されるとステップＳ１０３に進んでＭＡＩＮモードに移行する。
【００７３】
図１３はＥＰＮモードとしてＭＡＩＮモード時の処理動作を示している。
先ず、ステップＳ２０１においてＭＡＩＮモードとされると、続くステップＳ２０２においてＥＰＮキー１３−１の操作が行われたか否かが判別される。このステップでＥＰＮキー１３−１の操作があったと判別されると、ステップＳ２０３に進み、ｎｏｒｍａｌモードへ移行してこのルーチンを抜けることとなる。
また、ステップＳ２０２でＥＰＮキー操作が無いと判別された場合には、ステップＳ２０４に進んで、コマンドキー操作の有無が判別される。ここでコマンドキー１３−２の操作があったと判別された場合には、ＣＯＭＭＡＮＤモードに移行することになるが、コマンドキー操作が無いと判別された場合には、ステップＳ２０６に進む。
【００７４】
ステップＳ２０６ではアップキー１３Ａ−３又はダウンキ１３Ａ−４の操作の有無が判別される。ここで、アップキー１３Ａ−３又はダウンキ１３Ａ−４の操作があったと判別された場合には、ステップＳ２０７に進んで、ｌｉｓｔｉｎｇ  ａｒｅａＡ４に配置されるカラーバーＣＢ（図６参照）を上下方向に移動させるための制御を行って後にステップＳ２０８に進む。一方、ステップＳ２０６においてアップキー１３Ａ−３又はダウンキ１３Ａ−４の操作が無い都判別された場合には、そのままステップＳ２０８に進む。
【００７５】
ステップＳ２０８においては、ライトキー１３Ａ−３又はレフトキー１３Ａ−４の操作の有無を判別する。そして、このステップでライトキー１３Ａ−３又はレフトキー１３Ａ−４の操作が無いと判別された場合には、そのままステップＳ２０２の処理に戻る。これに対して、ライトキー１３Ａ−３又はレフトキー１３Ａ−４の操作があったと判別された場合には、ステップＳ２０９に進んで、現在のモード（ａｌｌ（ｔｈｉｓ）  ｃｈａｎｎｅｌ  ｎａｖｉｇａｔｅ，ａｌｌ（ｔｈｉｓ）  ｔａｐｅ  ｎａｖｉｇａｔｅモード）に応じたｓｌｏｔ機能による表示切換え（図７参照）を行った後、ステップＳ２０２に戻る。
【００７６】
図１４はＥＰＮモードとしてＣＯＭＭＡＮＤモード時の処理動作を示している。
先ず、ステップＳ３０１においてＭＡＩＮモードとされると、続くステップＳ３０２においてＥＰＮキー１３−１の操作の有無が判別され、このキー操作が無いと判別されればステップＳ３０３に進んでｎｏｒｍａｌモードに移行するが、ＥＰＮキー操作が無い場合には、ステップＳ３０４に進む。
ステップＳ３０４ではコマンドキー操作の有無を判別し、コマンドキー操作があった場合には、ステップＳ３０５、Ｓ３０６及びＳ３０７の処理によって、先に図８（ｃ）にて説明したモード遷移のための処理が実行される。
これに対して、ステップＳ３０４でコマンドキー操作が無いと判別された場合にはステップＳ３０８に進んで、ライトキー１３Ａ−３又はレフトキー１３Ａ−４の操作の有無を判別する。そして、ライトキー１３Ａ−３又はレフトキー１３Ａ−４の操作があった場合には、キー操作方向に応じて表示エリア間においてカーソルが移動するように表示制御を行って後にステップＳ３１０に進むが、ライトキー１３Ａ−３又はレフトキー１３Ａ−４の操作がなければ、そのままＳ３１０に進む。
【００７７】
ステップＳ３１０においては、ＥＸＥキー１３Ａ−５の操作の有無が判別され、このキー操作が無い場合にはステップＳ３０２の処理に戻ることになるが、ＥＸＥキー１３Ａ−５の操作があったと判別された場合には、ステップＳ３１１に進む。
【００７８】
ステップＳ３１１においては、コマンド項目の種類に応じて処理＃１と処理＃２の何れかの処理を実行する。
処理＃１は、現在選択されているコマンド項目の機能に対応する動作制御を直接実行する。具体例の１つとしては、先に図１０（ｄ）→図１０（ｅ）に示したように、ＣＯＭＭＡＮＤウィンドウＷ２内のコマンド項目［ｖｉｅｗ］を選択してＥＸＥキーを操作したことにより、選択された番組を表示する制御動作が相当する。
処理＃２は、ＩＮＰＵＴモードに移行して、現在選択されているコマンド項目に対応するＩＮＰＵＴウィンドウを表示する処理となり、具体的には図１０（ｄ）→図１０（ｅ）に示したような表示動作がこれに相当する。
【００７９】
図１５はＥＰＮモードとしてＣＯＭＭＡＮＤモード時の処理動作を示している。
先ず、ステップＳ４０１においてＭＡＩＮモードとされると、続くステップＳ４０２においてＥＰＮキー１３−１の操作の有無が判別され、このキー操作が無いと判別されればステップＳ４０３に進んでｎｏｒｍａｌモードに移行するが、ＥＰＮキー操作が無い場合には、ステップＳ４０４に進む。
ステップＳ４０４では、所定のキー操作によりパラメータ変更のための入力操作があったか否かが判別され、このようなキー操作が行われたと判別された場合には、ステップＳ４０５に進み、ここでキー入力操作に応じてパラメータを変更する処理を行って後にステップＳ４０６に進む。また、パラメータ変更のためのキー操作が行われないと判別された場合には、そのままステップＳ４０６に進む。
【００８０】
ステップＳ４０６ではＥＸＥキーの操作の有無を判別しており、ＥＸＥキーの操作が無かった場合には、ステップＳ４０２の処理に戻るが、ＥＸＥキーの操作があったと判別された場合には、ステップＳ４０７に進む。
ステップＳ４０７では、ステップＳ４０５の処理により変更されたパラメータがあればこのパラメータに応じたＥＰＮ設定の変更等の処理を実行し、ステップＳ４０８においてＣＯＭＭＡＮＤモードに移行した後、このルーチンを抜ける。
【００８１】
なお、本発明はこれまで説明してきた実施の形態に限定されるものではなく、各種変更が可能とされ、例えば具体的なＥＰＮモードにおける各ウィンドウの表
示形態や、各ウィンドウにて定義される表示項目等は実際の使用条件等に応じて変更されて構わない。
【図面の簡単な説明】
【００８２】
【図１】本発明の実施の形態の電子番組表示制御装置の構成例を示すブロック図である。
【図２】リモートコントローラにおいて、ＥＰＮのコントロールに関わるキー操作部位を示す平面図である。
【図３】ＥＰＮのモード遷移をチャート的に示す説明図である。
【図４】ＥＰＮのモード遷移を表示形態と共に示す説明図である。
【図５】ＭＡＩＮウィンドウ内の表示内容を説明するための説明図である。
【図６】ＭＡＩＮウィンドウ及びＣＯＭＭＡＮＤウィンドウの具体的表示形態例を示す説明図である。
【図７】ＭＡＩＮモードにおいて操作キーに割り当てられる機能を示す説明図である。
【図８】ＣＯＭＭＡＮＤウィンドウ内の表示内容を説明するための説明図である。
【図９】ＩＮＰＵＴウィンドウ内の表示内容を説明するための説明図である。
【図１０】ＥＰＮの操作例を示す説明図である。
【図１１】ＥＰＮの操作例を示す説明図である。
【図１２】ＥＰＮ表示のための処理動作を示すフローチャートである。
【図１３】ＥＰＮ表示のための処理動作を示すフローチャートである。
【図１４】ＥＰＮ表示のための処理動作を示すフローチャートである。
【図１５】ＥＰＮ表示のための処理動作を示すフローチャートである。
【符号の説明】
【００８３】
２  チューナ、７  チューナ／タイマーコントローラ、８  ＥＰＮコントローラ、９  システムコントローラ、１１  ＶＴＲ部、１２  モニタ装置、１３  リモートコントローラ、１３−１  ＥＰＮキー、１３−２  コマンドキー、１３Ａジョイスティック部、１３Ａ−１  アップキー、１３Ａ−２  ダウンキー、１３Ａ−３  ライトキー、１３Ａ−４  レフトキー、１３Ａ−５  レフトキー、Ｗ１  ＭＡＩＮウィンドウ、Ｗ２  ＣＯＭＭＡＮＤウィンドウ、Ｗ３  ＩＮＰＵＴウィンドウ、ＣＢ  カラーバー
【図１】
2006320007.tif 000003
【図２】
2006320007.tif 000004
【図３】
2006320007.tif 000005
【図４】
2006320007.tif 000006
【図５】
2006320007.tif 000007
【図６】
2006320007.tif 000008
【図７】
2006320007.tif 000009
【図８】
2006320007.tif 000010
【図９】
2006320007.tif 000011
【図１０】
2006320007.tif 000012
【図１１】
2006320007.tif 000013
【図１２】
2006320007.tif 000014
【図１３】
2006320007.tif 000015
【図１４】
2006320007.tif 000016
【図１５】
2006320007.tif 000017